(57)【要約】【課題】  システム領域とデータ領域との磁気ディスク上での配置を改善し、磁気ヘッドの平均移送距離と総移送距離との抑制を図り、ハードディスクドライブの故障を抑制する。【解決手段】  カラオケのデータを配信するカラオケ装置であって、情報記録再生装置の磁気ディスクに、半径方向の外周付近及び内周付近にデータ領域を配置し、半径方向の中央付近にシステム領域を配置する。データ領域にファイルシステムのデータファイルやカラオケデータなどを配置し、システム領域にファイルシステムのディレクトリデータや、カラオケデータ配信システムのシステムデータなどを配置する。【選択図】  図４
2006286095.tif 000002
【特許請求の範囲】
【請求項１】
複数のセクタが同心円状に配置されてなる磁気ディスクと、近接するセクタに情報を記録する又はセクタから情報を再生する磁気ヘッドと、前記磁気ヘッドを移送する磁気ヘッド移送手段と、前記磁気ディスクを回転させる磁気ディスク回転手段と、を備えた情報記録再生装置であって、
前記磁気ディスクの半径方向の中央付近にシステム領域を配置し、
前記システム領域の外周側及び内周側にデータ領域を配置した情報記録再生装置。
【請求項２】
前記システム領域にファイルシステムのディレクトリデータを記録し、
前記データ領域にファイルシステムのデータファイルを記録したことを特徴とする請求項１に記載の情報記録再生装置。
【請求項３】
請求項１又は２に記載の情報記録再生装置を備え、該情報記録再生装置にカラオケ曲の演奏に用いるデータを記録したカラオケ装置であって、
前記システム領域に各データファイルを対応付けるデータベースを記録し、
前記データ領域に前記データファイルとして、カラオケ曲の楽音を発生するための楽曲データと、カラオケ曲の演奏時にモニタに表示する背景映像と、を記録したことを特徴とするカラオケ装置。
【発明の詳細な説明】
【技術分野】
【０００１】
この発明は、磁気ディスクを内蔵した情報記録再生装置およびカラオケ装置に関する。
【背景技術】
【０００２】
従来、カラオケ装置などでは、楽曲データや映像データなどを記録再生する情報記録再生装置として、ハードディスクドライブが用いられている。一般にハードディスクドライブは、スピンドルモータの回転軸に重なるように、複数の磁気ディスクを配置して構成される。そして、セクタへのデータ記録、セクタからのデータ再生、が磁気ヘッドにより行われる（特許文献１参照。）。
【０００３】
ここで、それぞれの磁気ディスクの概念を図１に示す。図１（ａ）に示すように、磁気ディスク１０１は記録再生の基本単位であるセクタ１０３を複数・同心円状に整列して構成される。また、図１（ｂ）に示すように、同心円の領域（以下、トラックという。）１０２が磁気ディスク１０１の外周から内周にかけて配置される。なお、本明細書では、磁気ディスクの記録単位であるセクタを、実際よりも簡易化して示す。しかし現実には、一枚の磁気ディスクは数千万以上のセクタが配置されるものである。
【０００４】
また、図１（ｃ）に示すように、通常の記録は外周のトラックから内周のトラックへと順に行われる。また、この外周のトラックは、ファイルシステムのディレクトリデータや、システムの管理データなどを記録するシステム領域１０４として利用される。また、この内周のトラックは、楽曲データや映像データなどを記録再生するデータ領域１０５として利用される。
【０００５】
また、データ領域１０５からの情報の再生に先立ち、システム領域１０４の情報が読み出される。そのため、例えばシステム領域１０４・データ領域１０５・システム領域１０４・データ領域１０５というように磁気ヘッドが移送される。
【特許文献１】特開２００２−２０８２３５号公報
【発明の開示】
【発明が解決しようとする課題】
【０００６】
このようなハードディスクドライブは精密な機構部分を多く備え、その寿命は磁気ヘッドの総移送距離に依存する。通常は、磁気ヘッドの総移送距離が大きくなればなるほど、ハードディスクドライブの故障が多くなる。またそれ以外にも、寿命は磁気ヘッドの移送の際に生じる慣性力の大きさにも依存し、平均の慣性力が強い場合にもハードディスクドライブの故障が多くなる傾向がある。なお、この慣性力は移送距離が大きい場合に強く働く。
【０００７】
従来のように外周付近にシステム領域を配置し内周付近にデータ領域を配置した場合には、磁気ヘッドの移送が外周、内周、外周、内周と繰り返されることになる。その場合、磁気ヘッドの平均移送距離、総移送距離ともに大きくなり易く、しばしばハードディスクドライブが故障する。
【０００８】
そこで本発明では、システム領域とデータ領域との磁気ディスク上での配置を改善することにより、磁気ヘッドの磁気ヘッドの総移送距離、及び平均移送距離を抑制した情報記録再生装置およびカラオケ装置を提供することを目的とする。
【課題を解決するための手段】
【０００９】
本発明は前記課題を解決するために、複数のセクタが同心円状に配置されてなる磁気ディスクと、近接するセクタに情報を記録する又はセクタから情報を再生する磁気ヘッドと、前記磁気ヘッドを移送する磁気ヘッド移送手段と、前記磁気ディスクを回転させる磁気ディスク回転手段と、を備える。さらに、前記磁気ディスクの半径方向の中央付近にシステム領域を配置し、前記システム領域の外周側及び内周側にデータ領域を配置することを特徴とする。
【００１０】
ここで、本発明での定義づけについて説明する。本発明では、楽曲データ、映像データ、歌詞データなどの記録再生の主目的となるデータをデータ領域に記録再生する。そして、これらのデータを所定の目的、例えば同期、アドレス、制御、管理などの目的に沿って記録再生するための情報をシステムデータと定義づける。そしてシステムデータを記録再生するトラックをシステム領域、システム領域よりも磁気ディスク外周の部分を外周データ領域、システム領域よりも磁気ディスク内周の部分を内周データ領域と定義づける。
【００１１】
以上の定義づけの基、情報記録再生装置では磁気ディスクの半径方向の外周付近及び内周付近にデータ領域を配置しそれぞれ外周データ領域、内周データ領域とする。また、磁気ディスクの半径方向の中央付近にシステム領域を配置する。
【００１２】
このように、磁気ディスクの外周から内周にかけて、外周データ領域・システム領域・内周データ領域を順に配置する。すると、もっとも記録再生される頻度が高いシステム領域を、磁気ディスクの中央部分に配置することにより、磁気ヘッドの平均移送距離を従来よりも小さくできる。
【００１３】
また、例えば内周データ領域、システム領域、外周データ領域と移送する、あるいは、外周データ領域、システム領域、内周データ領域と移送する場合には、磁気ヘッドを外周まで移送する必要が無くなり、データ領域からシステム領域までの距離の分だけ磁気ヘッドの移送距離を削減することができる。そのため、磁気ヘッドの総移送距離も従来よりも小さくできる。
【００１４】
また、本発明は前記課題を解決するために、情報記録再生装置で、システム領域にファイルシステムのディレクトリデータを記録し、データ領域にファイルシステムのデータファイルを記録することを特徴とする。
【００１５】
このように、もっとも記録再生される頻度が高いディレクトリデータを、磁気ディスクの中央部分に配置することにより、磁気ヘッドを移送する距離を、従来よりも小さくできる。
【００１６】
また、本発明は前記課題を解決するために、カラオケ装置に上記記録再生装置を備え、該情報記録再生装置にカラオケ曲の演奏に用いるデータを記録する。詳しくは前記システム領域に各データファイルを対応付けるデータベースを記録し、前記データ領域に前記データファイルとして、カラオケ曲の楽音を発生するための楽曲データと、カラオケ曲の演奏時にモニタに表示する背景映像とを記録することを特徴とする。
【００１７】
このように、もっとも記録再生される頻度が高いデータベースを、磁気ディスクの中央部分に配置することにより、磁気ヘッドの平均移送距離、総移送距離を、従来よりも小さくできる。また、カラオケ装置では、楽曲データの再生に対して映像データであるＢＧＶデータや歌詞データなどが対応付けられるものであるため、内周側または外周側の一方のデータ領域にのみ楽曲データを記録した場合には、磁気ヘッドの移送距離をより抑制することができる。
【発明の効果】
【００１８】
この発明によれば、磁気ヘッドの平均移送距離と総移送距離とを抑制することができる。また、このように磁気ヘッドの移送距離を抑制できるために、ハードディスクドライブの故障を抑制することができ、これにより、ハードディスクドライブの故障の少ない情報記録再生装置、及び、カラオケ装置を提供することができる。
【発明を実施するための最良の形態】
【００１９】
以下に本発明の望ましい実施形態での情報記録再生装置について説明する。ここで図２に情報記録再生装置の概観図を示す。情報記録再生装置１は、ベース１５に複数の磁気ディスク２ａ・２ｂを配している。磁気ディスク２にはセクタを同心円状に整列させたトラックを、磁気ディスクの外周から内周まで配している。また、ベース１５にはアームユニット３を設置している。アームユニット３は、ベース８に固定されたシャフト７で勘合されたアーム６の、一方端には磁気ヘッド４を設けている。この磁気ヘッド４は図示していないが各磁気ディスク２ａ・２ｂの両面にそれぞれ、つまり４つの磁気ヘッド４を配している。また、アーム６の磁気ヘッド４の設けられていない他方端には、ボイスコイル９を配している。ボイスコイル９への電流の印加により、磁気ヘッドの移送を制御する。また、複数の磁気ディスク２はスピンドルモータの回転軸２２に回転自由に勘合されており、このスピンドルモータの回転と、ボイスコイル９の制御により、磁気ディスク２上の磁気記録の単位であるセクタを選択することができる。
【００２０】
ここで、システム領域とデータ領域の配置による、磁気ヘッドの移送距離の違いについて説明する。図３に説明のための概念図を示す。ここでは、磁気ディスクの各トラックと磁気ヘッドについて簡易化して説明する。
【００２１】
図３（ａ）に磁気ディスクのトラック番号Ｔｎを示す。そして、磁気ディスクの外周のトラックから順にＴ０、Ｔ１，Ｔ２，Ｔ３，Ｔ４とする。また、図３（ｂ）は本発明を示す概念図であり、図３（ｃ）は、従来技術を示す概念図である。図中のＤｓはシステム領域を表し、Ｄｉは内周データ領域を表し、Ｄｏは外周データ領域を表し、Ｄｄは従来のデータ領域を表す。
【００２２】
本発明の場合、システム領域ＤｓをＴ２のような中間に位置するトラックのセクタに配置するため、一回の移送距離は高々Ｔ２からＴ４まで、若しくはＴ２からＴ０までである。一方、従来技術の場合、一回の移送距離は高々Ｔ０からＴ４までであり、本発明よりも長い移送距離が必要となるため、当然に平均移送距離が大きなものであった。そのため、本発明によれば平均移送距離を抑制することができる。
【００２３】
また、図３（ｂ）、図３（ｃ）はそれぞれ、Ｔ３のトラックのセクタからデータを再生し、次にシステム領域Ｄｓのシステムデータを読み込み、そして、Ｔ１のトラックのセクタからデータを再生する。
【００２４】
本発明の場合、図３（ｂ）で示すように、Ｔ３のトラックのセクタからデータを再生し、次に、磁気ヘッドをシステム領域ＤｓのトラックＴ２に移送する。そして、トラックＴ２のセクタからシステムデータを読み込む。次に、Ｔ１のトラックへと磁気ヘッドを移送する。そして、Ｔ１のトラックのセクタからデータを再生する。
【００２５】
このようにＴ３とＴ１の間のトラックＴ２がシステム領域Ｄｓであるため、内周データ領域Ｄｉから外周データ領域Ｄｏまで磁気ヘッドを移送する際には、移送距離はＴ３とＴ２とのトラック間の距離のみとなる。
【００２６】
一方、従来技術のような場合、図３（ｃ）で示すように、Ｔ３のトラックのセクタからデータを再生し、次に、磁気ヘッドをシステム領域ＤｓのトラックＴ０に移送する。そして、システム領域ＤｓのトラックＴ０のセクタからシステムデータを読み込む。次に、Ｔ１のトラックのセクタからデータを再生するため、Ｔ１のトラックへと磁気ヘッドを移送する。
【００２７】
このようにシステム領域が、トラックＴ３とトラックＴ１の間のトラックＴ２では無く、トラックＴ０のように端にある場合には、移送距離は、Ｔ３とＴ２とのトラック間の距離に加え、Ｔ２とＴ０との往復の移送距離が必要となる。
【００２８】
すなわち、本発明のように外周データ領域Ｄｏ、システム領域Ｄｓ、内周データ領域Ｄｉと、トラックが配置されている場合であって、且つ、外周データ領域Ｄｏの次に内周データ領域Ｄｉからデータを再生する場合、システム領域Ｄｓのデータを読み込むための移送距離を省略することができる。一方、従来技術のようにシステム領域Ｄｓが外周若しくは内周の端に配置されている場合には、連続してデータ領域Ｄｄからデータを再生するため、システム領域Ｄｓまで磁気ヘッドを移送する必要があり、データ領域Ｄｄからシステム領域Ｄｓまでの往復の移送距離が余分に必要となる。
【００２９】
そのため、本発明は従来技術よりも総移送距離を小さくすることができる。なお、内周データ領域Ｄｉの次に外周データ領域Ｄｏからデータを再生する場合にも、同様に移送距離はそれぞれのトラックのセクタ間の距離のみとなり、総移送距離を小さくすることができる。
【００３０】
また、このようにシステム領域をまたいで再生する回数が多ければ多いほどこの総移送距離は短くなる。そのため、内周データ領域と外周データ領域とに記録しておくデータを調整することでそのようにシステム領域をまたいで再生する回数を増やしておけば、より効果的である。換言すれば、外周データ領域Ｄｏ・システム領域Ｄｓ・内周データ領域Ｄｉと、又は内周データ領域Ｄｉ・システム領域Ｄｓ・外周データ領域Ｄｏと、磁気ヘッドが移送される頻度が最も高くなるようにシステム領域を配置することでより総移送距離を抑制することができる。
【００３１】
次に、図４に本発明の望ましい態様における磁気ディスクのデータ配置を示す。図４（ａ）に示すように、磁気ディスク２０１には外周の部分を外周データ領域２０４として区画する。また磁気ディスク内周の部分を内周データ領域２０６として区画する。そして、それら外周データ領域２０４と内周データ領域２０６とに挟まれた中央部分をシステム領域２０５として区画する。
【００３２】
記録するデータによっては、磁気ヘッドが移送される頻度が最も高くなるようにシステム領域を配置することは困難である。そのためここでは、外周データ領域２０４と内周データ領域２０６とのサイズが等しくなるようにシステム領域２０５を配置する。
【００３３】
このように外周データ領域２０４、システム領域２０５、内周データ領域２０６を区画する場合には、図４（ｂ）に示すように、内周データ領域２０６への記録はシステム領域２０５に近接するセクタから順に記録し、しだいにより内周側のセクタへと記録していくようにデータを配置していくことが望ましい。また、外周データ領域への記録はシステム領域２０５に近接するセクタから順に記録し、次第により外周側のセクタへと記録していくようにすることが望ましい。このようにすると、未記録のセクタ上を磁気ヘッドが移送されることが少なくなり、その分の移送距離を省略することができる。
【００３４】
また他にも、図４（ｃ）に示すようにデータを記録してもよい。内周データ領域２０６への記録はより内周側のセクタから記録し、しだいによりシステム領域２０５に近接する側のセクタへと記録していくようにする。また、外周データ領域への記録はより外周側のセクタから順に記録し、次第によりシステム領域２０５に近接する側のセクタへと記録していくようにする。このように記録する場合であっても、記録が行われるセクタが多く、記録が行われていないセクタが少なければ、本発明の効果を充分に奏する。
【００３５】
また他にも、図４（ｄ）に示すようにデータを記録してもよい。内周データ領域２０６への記録はシステム領域２０５に近接するセクタから順に記録し、しだいにより内周側のセクタへと記録し、外周データ領域２０４への記録は外周側のセクタから順に記録し、次第にシステム領域２０５に近接する側のセクタへと記録していってもよい。このように記録する場合であっても、記録が行われるセクタが多く、記録が行われていないセクタが少なければ、本発明の効果を充分に奏する。
【００３６】
次に上記情報記録再生装置を適用したカラオケ装置について説明する。図５は、このカラオケ装置のブロック図である。
【００３７】
このカラオケ装置５１は、情報記録再生装置であるハードディスク６７，コントロールアンプ５２，音声信号処理装置５３，ＤＶＤチェンジャ５４，スピーカ５５，モニタ５６，マイク５７および赤外線のリモコン装置５８などで構成される。カラオケ装置５１の制御装置であるＣＰＵ６０には、内部バスを介してＲＯＭ６１，ＲＡＭ６２，通信制御部６６，リモコン受信部６３，表示パネル６４，パネルスイッチ６５，音源装置６８，音声データ処理部６９，文字表示部７０，表示制御部７１が接続されるとともに、コントロールアンプ５２，音声信号処理装置５３およびＤＶＤチェンジャ５４がインタフェースを介して接続される。
【００３８】
リモコン装置５８は、利用者の操作に応じたコード信号を赤外線で出力する。リモコン受信部６３はリモコン装置５８から送られてくる赤外線信号を受信する。また、パネルスイッチ６５は、楽曲番号入力用のテンキーなどを備える。表示パネル６４は装置前面に設けられており、現在演奏中の楽曲番号や予約楽曲数を表示する。
【００３９】
音源装置６８は、楽曲データに基づいて楽音を形成してコントロールアンプ５２に出力する。音声データ処理部６９は、楽曲データに含まれる音声データに基づき、指定された長さ、指定された音高の音声信号を形成する。音声データ処理部６９が再生した音声信号は、コントロールアンプ５２に入力される。コントロールアンプ５２には、２本のマイク５７ａ，５７ｂが接続されており、カラオケ歌唱者の歌唱音声が入力される。コントロールアンプ５２は歌唱音声に対して所定のエフェクト（ボーカルエフェクト）を付与するとともに、歌唱音声・カラオケ演奏音を増幅してスピーカ５５に出力する。
【００４０】
また、音声信号処理装置５３は、コントロールアンプ５２から歌唱音声を入力して種々のエフェクトを付与する装置である。エコーなどの単純なエフェクトはコントロールアンプ５２が単独で付与することができるが、ハモリデータを用いたハモリ歌唱の生成など複雑な信号処理は音声信号処理装置５３が行う。
【００４１】
通信制御部６６は回線を介して配信センタ５９と接続され、定期的に新曲の楽曲データやハモリデータなどのファイルをダウンロードする。または、カラオケ装置から配信センタ５９に電話を掛けて楽曲をダウンロードする。ダウンロードした楽曲データは、ハードディスク６７に保存される。
【００４２】
文字表示部７０はカラオケ楽曲の歌詞データなどを文字パターンに展開する。この文字パターンは、映像信号として表示制御部７１に入力される。そして、カラオケ演奏時には、ＤＶＤチェンジャ５４又はハードディスク６７から読み出したＢＧＶ（Ｂａｃｋ  Ｇｒｏｕｎｄ  Ｖｉｄｅｏ）と歌詞データに基づいて生成した歌詞テロップを表示制御部７１で、スーパーインポーズ合成してモニタ５６に表示する。
【００４３】
また、ＲＯＭ６１にはこの装置を起動するために必要な起動プログラムなどを記憶する。プログラムの設定値などは、サービスマンモードで設定されハードディスク６７に記録する。また、ハードディスク６７にはシステムプログラムやカラオケ演奏プログラムなども記憶する。システムプログラムやカラオケ演奏プログラムなどの設定値も、サービスマンモードで設定されハードディスク６７に記録する。
【００４４】
またＲＡＭ６２には、カラオケ演奏のための楽曲番号と対応した、楽曲データ、ＢＧＶデータ、歌詞データなどの所在を示す台帳データベース、それらが記録されているセクタやアドレスなどを記録したアドレスデータベース、また、セールスマンモードでの設定パラメータ、機器の設定パラメータ、ＬＯＧなどを用いてランキングや採点ゲームを行うための設定データベースなど種々のデータベースを設定する。そして、それらのデータベースデータはハードディスク６７に記録する。
【００４５】
以上のようにハードディスク６７には、システムプログラムや，カラオケ演奏実行プログラム、楽曲データ、ハモリデータ、歌詞データ、ＢＧＶデータ、各種データベース等が記録される。これらの各データのうち、システムプログラムや，カラオケ演奏実行プログラム、台帳データベース、アドレスデータベース、設定データベースなどのデータや設定値を、システムデータとしてハードディスク６７の磁気ディスクのシステム領域に記録する。また、楽曲データ、ＢＧＶデータ、歌詞データなどは、コンテンツデータとして、外周データ領域および内周データ領域に記録する。
【００４６】
そうすると、磁気ディスクには、磁気ディスクの外周部分のトラックにコンテンツデータを記録し、磁気ディスクの中央部分のトラックにシステムデータを記録し、磁気ディスクの内周部分のトラックに再びコンテンツデータを記録することになる。
【００４７】
そのため、磁気ヘッドの一回の移送距離が、たかだか、外周領域とシステム領域とを加えたトラックの幅、若しくは内周領域とシステム領域とを加えたトラックの幅となるため、平均の移送距離を抑制することができる。
【００４８】
また、磁気ヘッドが磁気ディスクの外周データ領域、システム領域内周データ領域と移動する場合、または、磁気ディスクの内周データ領域、システム領域外周データ領域と移動する場合、には、システム領域からディレクトリデータを読み込むために、従来必要であった移送距離の分を削減でき、総移送距離も抑制することができる。
【００４９】
このようにして、本実施形態では、故障を抑制したカラオケ装置を提供することができる。
【００５０】
また、カラオケ装置の場合には、楽曲データに対して、ＢＧＶデータや楽曲データとは別にダウンロードされた後付けの歌詞データなどが対応付けられるものであるため、楽曲データを内周データ領域に記憶し、ＢＧＶデータや歌詞データなどを外周データ領域に記憶する。すると、磁気ヘッドの移送距離をより抑制することができ、効果的である。なお、楽曲データを外周データ領域に記憶し、ＢＧＶデータや歌詞データなどを内周データ領域に記憶しても同様な効果を奏する。
【００５１】
上記は情報記録再生装置をカラオケ装置に適用した例であるが、一般のファイルシステムに適用することもできる。たとえば、データ領域にファイルシステムのファイルデータを記録再生し、システム領域にファイルシステムのディレクトリデータを記録再生する。ここで、ファイルシステムとは、ＦＡＴやＮＴＦＳ、ｅｘ２、ｅｘ３、ｕｆｓなどの記録再生装置を管理する方式のことであり、ディレクトリデータとはファイルシステムの管理情報のことである。
【００５２】
このようにファイルシステムのディレクトリデータをシステム領域に、ファイルシステムのファイルデータをデータ領域に記録再生すれば、磁気ディスクには、磁気ディスクの外周部分のトラックにファイルデータが、磁気ディスクの中央部分のトラックにディレクトリデータが、磁気ディスクの内周部分のトラックに再びファイルデータが記録されることになる。
【００５３】
そのため、磁気ヘッドの一回の移送距離が、たかだか外周領域とシステム領域とを加えたトラックの幅、若しくは内周領域とシステム領域とを加えたトラックの幅となるため、平均移送距離を抑制することができる。
【００５４】
また、磁気ヘッドが磁気ディスクの外周データ領域、システム領域内周データ領域と移動する場合、または、磁気ディスクの内周データ領域、システム領域外周データ領域と移動する場合、には、システム領域からディレクトリデータを読み込むために、従来必要であった移送距離の分を削減でき、総移送距離を抑制することができる。
【００５５】
このようにして、本実施形態では、磁気ヘッドの故障が少ない情報記録再生装置を提供することができる。
【００５６】
なお、内周データ領域、外周データ領域に記録しておくべきデータ量が小さい場合であっても、一方のみにデータを集めて記録しておくよりも、双方に振り分けて記録しておく場合のほうがより総移送距離を抑制でき、効果的である。
【００５７】
以上では、カラオケ装置のシステムデータをシステム領域に記録再生する態様と、ＦＡＴなどのファイルシステムのディレクトリデータをシステム領域に記録再生する態様とを示したが、カラオケ装置のシステムデータとファイルシステムのディレクトリデータとをともに、システム領域に配置してもよく、その場合のほうがより平均移送距離、総移送距離を抑制でき、効果的である。
【図面の簡単な説明】
【００５８】
【図１】従来の磁気ディスクのデータ配置の概念図である。
【図２】本発明の望ましい実施形態での情報記録再生装置の外観図である。
【図３】本発明の望ましい実施形態での磁気ディスクの概念図である。
【図４】本発明の望ましい実施形態での磁気ディスクのデータ配置の概念図である。
【図５】本発明の望ましい実施形態でのカラオケ装置のブロック図である。
【符号の説明】
【００５９】
１−情報記録再生装置
２−磁気ディスク
３−アームユニット
４−磁気ヘッド
５−スピンドルモータの回転軸
６−アーム
７−シャフト
８−ベース
９−ボイスコイル
１０１，２０１−磁気ディスク
１０２−トラック
１０３−セクタ
１０４−データ領域
１０５、２０５−システム領域
２０４−外周データ領域
２０６−内周データ領域
【図１】
2006286095.tif 000003
【図２】
2006286095.tif 000004
【図３】
2006286095.tif 000005
【図４】
2006286095.tif 000006
【図５】
2006286095.tif 000007